(57)【要約】【課題】  摩擦性を有しながらも使用感の向上を図った滑り止め機能付き編成物及びこの編成物からなる靴下を提供する点にある。【解決手段】  少なくとも編地１０の片面の分割された編地部分の一つが、他の編地部分よりも摩擦係数が大きな摩擦領域２に構成されているとともに、この摩擦領域２に隣接する編地部分が、他の編地部分よりも少なくとも一軸方向の伸縮率が小さな緩衝領域３に構成されている滑り止め補償部Ｂが備わっている。【選択図】        図１
2006249596.tif 000002
【特許請求の範囲】
【請求項１】
編地部分の一部が、他の編地部分よりも摩擦係数が大きな摩擦領域に構成されているとともに、この摩擦領域に隣接する編地部分が、他の編地部分よりも伸縮率が小さな緩衝領域に構成されている滑り止め補償部を備えた滑り止め機能付き編成物。
【請求項２】
足裏部分に対応する編地部分の一部が、他の編地部分よりも摩擦係数が大きな摩擦領域に構成されているとともに、この摩擦領域に隣接する編地部分が、他の編地部分よりも伸縮率が小さな緩衝領域に構成されている滑り止め補償部を備えた滑り止め機能付き編成物からなる靴下。
【請求項３】
滑り止め補償部が、つま先と土踏まずとの間の靴下編地部分に摩擦領域が編成され、この摩擦領域から踵側に緩衝領域が編成され、これら摩擦領域と緩衝領域とから構成されている請求項２記載の靴下。
【請求項４】
前記摩擦領域が、編地にゴム系又は発泡ウレタン系の溶剤を塗設して構成されている請求項２又は請求項３記載の靴下。
【請求項５】
前記摩擦領域が、ゴム系又は発泡ウレタン系でゴム質な粒状体の多数を編地に接着して構成されている請求項２又は請求項３記載の靴下。
【請求項６】
前記摩擦領域が、平編みの編地の編成糸に少なくとも２本の編糸を用いて編成し、この編地における表面側がゴム系又は発泡ウレタン系の素材を用いた編成糸から構成され、
前記緩衝領域が、編地を構成する編成糸と、編地の長手方向と直交する外周方向に編み込まれた緩衝糸をもって編成されている請求項２又は請求項３記載の靴下。
【請求項７】
編地の表裏の何れか一面側が他面側よりも摩擦係数が大きな摩擦領域に構成されている滑り止め機能付き編成物。
【請求項８】
前記摩擦領域が、平編みの編地に少なくとも２本の編成糸を用いて編成し、この編地における表面側がゴム系又は発泡ウレタン系の素材を用いた編成糸から構成されている請求項７に記載の滑り止め機能付き編成物。
【発明の詳細な説明】
【技術分野】
【０００１】
本発明は、編地に摩擦領域と緩衝領域とから構成される滑り止め補償部が備わった編成物に関し、詳しくは、少なくとも編地の片面の分割された編地部分の一つが、他の編地部分よりも摩擦係数が大きな摩擦領域に構成されているとともに、この摩擦領域に隣接する編地部分が、他の編地部分よりも伸縮率が小さな緩衝領域に構成されている滑り止め補償部が備わっている滑り止め機能付き編成物及びこの編成物からなる靴下に関する。
【背景技術】
【０００２】
近年、靴下の編地の足裏部分に対応する編地部分に、ゴム材や軟質の合成樹脂材からなる粒状や帯状の滑り止め体の多数を貼着して、歩行の際の接地面に対して滑り止め体が接触することによって、靴下と接地面との滑りを抑制する編成物である滑り止め付きの靴下が市販されている。
主に、この種の滑り止め付き靴下は、滑り易い歩行現場や滑りを避けたい作業現場等で好適に使用されている（例えば、特許文献１参照）。
【０００３】
【特許文献１】特許登録第３０７８６１４号公報（第５頁、図１）
【発明の開示】
【発明が解決しようとする課題】
【０００４】
しかしながら、従来の滑り止め付き靴下においては、滑り止め体と接地面との間に作用する摩擦が大きく作用する傾向にあるため、歩行する上で引っ掛かると言った歩行現象を生じる等、歩行時の履き心地等の使用感が悪い問題がある。
【０００５】
本発明は上記の事情に鑑みてなされたものであり、その目的とするところは、摩擦性を有しながらも使用感の向上を図った編成物及びこの編成物からなる靴下を提供する点にある。
【課題を解決するための手段】
【０００６】
本発明の第１番目の滑り止め機能付き編成物の特徴構成は、少なくとも編地の片面の分割された編地部分の一つが、他の編地部分よりも摩擦係数が大きな摩擦領域に構成されているとともに、この摩擦領域に隣接する編地部分が、他の編地部分よりも伸縮率が小さな緩衝領域に構成されている滑り止め補償部が備わっている点にある。
【０００７】
上記特徴構成によれば、例えば、摩擦領域に緩衝領域が隣接していない場合、被当接面に押付けながら移動すると、摩擦領域と隣接する編地部分の方が摩擦領域よりも大きな延びを示し、全体として引っ掛かるような使用感を形成することになるが、摩擦領域に隣接して緩衝領域が設けられている場合、摩擦領域と隣接する緩衝領域が摩擦領域よりも小さな延びを示し、全体として摩擦性は作用しながら引っ掛かりのない使用感を形成することができる。
【０００８】
従って、編成物自体に滑り止め機能といった摩擦性を有しながらも使用感の向上を図ることができるので、この種の滑り止め機能を備える編成物の品質の向上を図ることができる。
【０００９】
本発明の第２番目の靴下の特徴構成は、足裏部分に対応する編地部分の一部が、他の編地部分よりも摩擦係数が大きな摩擦領域に構成されているとともに、この摩擦領域に隣接する編地部分が、他の編地部分よりも伸縮率が小さな緩衝領域に構成されている点にある。
【００１０】
上記特徴構成によれば、靴下を履いた状態の足裏部分には、滑り止め補償部における摩擦領域によって、歩行時に接地面と靴下との間で生じる歩行時の滑りを抑制することができるとともに、靴下編地の延びの変化を緩衝領域で緩衝することによって、摩擦領域のみであれば歩行時に引っ掛かりのある使用感を生じてしまう問題点を改善することができる。
【００１１】
従って、従来の滑り止め体を足裏部分に貼着した構成の滑り止め付き靴下に比し、靴下自体に滑り止め機能といった摩擦性を有しながらも、歩行時の履き心地等の使用感の向上を図ることができるので、この種の滑り止め機能を備える靴下における品質の向上を図ることができる。
【００１２】
本発明の第３番目の靴下の特徴構成は、滑り止め補償部が、つま先と土踏まずとの間の靴下編地部分に摩擦領域が編成され、この摩擦領域から踵側に緩衝領域が編成され、これら摩擦領域と緩衝領域とから構成されている点にある。
【００１３】
上記特徴構成によれば、まず、靴下を履いた状態で床等の歩行接地面を歩行する場合、歩行接地面に踵から接地し始め体重の前方移動に伴って、つま先側まで接地部分が移動して歩行接地面から離れる歩行軌跡を描くことになる。この際、土踏まずからつま先に体重移動しながら足裏との接地部分が変遷するに伴って、足に履かれた靴下側も緩衝領域から摩擦領域に接地部分が変遷する。
この変遷に伴って、緩衝領域がその他の靴下部分よりも延びが小さいので、緩衝領域の存在によって靴下の延びの変化が滑らかに小さくなることによって、摩擦領域で歩行接地面との摩擦が大きく作用し始めた状態に移行するにもかかわらず、足裏部分には違和感を与えることなく歩行感を形成することができる。
【００１４】
従って、全体として歩行接地面に摩擦性を作用させながら、歩行状態に引っ掛かりのない使用感を形成することができるので、この種の滑り止め機能を備える靴下における品質の向上を図ることができる。
【００１５】
本発明の第４番目の靴下の特徴構成として、前記摩擦領域が、編地の表面部分にゴム系又は発泡ウレタン系の溶剤を塗設して構成されている点にある。
【００１６】
上記特徴構成によれば、溶剤の塗設によって編地の適宜部分或いは所定部分に摩擦領域を簡単に形成することができるので、編成物の何れの編地部分にも摩擦領域を形成することができる。
【００１７】
従って、滑り止め機能を必要とする編成物の製品化に即応することができるとともに、滑り部分が異なる多様な商品体系を構築することが可能となる。
ここで、溶剤の塗設とは、編地の表面部分に溶剤を塗布乾燥したり、溶剤を含浸乾燥したりして、編地の表面部分に溶剤が露出する状態を含んでいる。
【００１８】
本発明の第５番目の靴下の特徴構成は、前記摩擦領域が、ゴム系又は発泡ウレタン系でゴム質な粒状体の多数を編地に接着して構成されている点にある。
【００１９】
上記特徴構成によれば、編地の適宜部分或いは所定部分に、粒状体の多数を編地に接着して摩擦領域を簡単に形成することができるので、編成物の何れの編地部分にも摩擦領域を形成することができる。
【００２０】
従って、滑り止め機能を必要とする編成物の製品化に即応することができるとともに、滑り部分が異なる多様な商品体系を構築することが可能となる。
【００２１】
本発明の第６番目の靴下の特徴構成は、前記摩擦領域が、平編みの編地の編成糸に少なくとも２本の編糸を用いて編成し、この編地における表面側がゴム系又は発泡ウレタン系の素材を用いた編成糸から構成され、
前記緩衝領域が、編地を構成する編成糸と、編地の長手方向と直交する外周方向に編み込まれた緩衝糸をもって編成されている点にある。
【００２２】
上記特徴構成によれば、編地の適宜部分或いは所定部分に摩擦領域及び緩衝領域を対応する編成糸を用いて、靴下に機能の異なる領域を編成することができる。
【００２３】
従って、摩擦領域と緩衝領域とを一連に編成することも可能となるので、摩擦領域と緩衝領域との構成が異なり、異なる別工程によって製作しなければならないものに比べて、製作工程数、製作手間、製作コスト等の合理化や能率化を図ることができる。
【００２４】
本発明の第７番目の滑り止め機能付き編成物の特徴構成は、編地の表裏の何れか一面側が他面側よりも摩擦係数が大きな摩擦領域に構成されている点にある。
【００２５】
上記特徴構成によれば、同一編地の表裏で摩擦係数が異なる編成物を形成することができる。
【００２６】
従って、摩擦係数が異なった編成物を重ね合わせて縫製して、表裏の摩擦係数が異なるようにした生地等と比べて、単一の編成物によって表裏の摩擦係数が異なるものを形成することができるので、製作が簡単であるとともに、単一編成物であるので多用途に用いられる汎用性を備えているので、編成物の品質の向上を図ることができる。
【００２７】
本発明の第８番目の滑り止め機能付き編成物の特徴構成は、前記摩擦領域が、平編みの編地に少なくとも２本の編成糸を用いて編成し、この編地における表面側がゴム系又は発泡ウレタン系の素材を用いた編成糸から構成されている点にある。
【００２８】
上記特徴構成によれば、編地の表裏で露出する編成糸の種類を異にすることができる結果、単一の編成物において、表裏で生地組成が異なる編地に形成することができる。
【００２９】
従って、単一の編成物は一連に連続した編成工程によって製作することが可能であるので、摩擦係数が異なる複合の編成物を縫製して形成される物に比べて、製作性がよいとともに、製品の完成度も高く、品質の向上を図ることができる。
【発明を実施するための最良の形態】
【００３０】
以下、本発明を適用した滑り止め機能付き編成物を図面に基づいて説明する。
【００３１】
〔実施形態〕
〔第１実施形態〕
この実施形態は、本発明の編成物を靴下に適用した例を説明する。
図１は、つま先と土踏まずの間の足部分に対応する編地部分に、他の編地部分より摩擦係数が高い滑り止め編成部分Ｂが編成されている滑り止め機能付き編成物からなる靴下Ａを示している。
【００３２】
この滑り止め機能付きの靴下Ａは、メリヤス編みされた筒状の編地１０の編成方向に沿って編み込まれて形成され、滑り止め編成部分Ｂは、その他の靴下編成部分Ｃに連続して編成されている。
【００３３】
この滑り止め機能付きの靴下Ａにおいては、つま先と土踏まずとの間の靴下編地部分に摩擦領域２が編成され、この摩擦領域２から踵側に緩衝領域３が編成され、これら摩擦領域２と緩衝領域３とから滑り止め補償部Ｂが構成されている。前記緩衝領域３は、摩擦領域２の編数よりも小数の編数に編成され、摩擦領域２の筒状長さに比べて短く編成されている。
【００３４】
前記摩擦領域２は、図７図に示すように、平編みされた編地１０が２本の編成糸１０ａ，２ａを用いて編成され、この２本の編成糸１０ａ，２ａのうちの一本の摩擦糸２ａが編地１０の最表側となる編成がなされて、平編みされた編地１０の表面側に摩擦糸２ａが露出する編地構成になっている。
【００３５】
前記緩衝領域３は、図８に示すように、編地１０を構成する編成糸１０ａと、編地１０の長手方向と直交する外周方向に編み込まれる緩衝糸３ａをもって編成され、メリヤス編みされた筒状編地１０の長手方向の延びが他の部分より小さく伸びない編地構成になっている。
【００３６】
前記編地１０の編成糸１０ａが、例えば、一本構成の２０番ないし３０番の綿糸又は綿アクリル混紡糸或は毛糸又は毛アクリル混紡糸から構成されている。
【００３７】
前記摩擦糸２ａは、例えば、２０番ないし３０番の綿糸又は綿アクリル混紡糸或は毛糸又は毛アクリル混紡糸等の芯糸材に、ポリウレタン繊維を巻装するなどして薄肉な層状態に外装して形成されたものであり、滑り止め編成部分Ｂの表地には、面状にウレタン繊維が表出するポリウレタン繊維系の編成糸から構成されており、この摩擦糸２ａは、靴下の編成糸に用いられる綿糸やポリエステル糸等に比べて摩擦係数が大なるものである。ここで、摩擦糸２ａとして、例えば、芯糸材にゴム系の素材を塗布したゴム系の編成糸を用いてもよい。
【００３８】
このような構成であれば、靴下Ａを履いた状態で床等の歩行接地面を歩行する場合、図２〜図４に示すように、歩行接地面に踵から接地し始め体重の前方移動に伴って、つま先側まで歩行接地面との接地部分が変移して、歩行接地面から離れる歩行軌跡を描くことになる。
【００３９】
この際、土踏まずからつま先に体重移動しながら足裏との接地部分が変遷するに伴って、足に履かれた靴下側も緩衝領域３から摩擦領域２に接地部分が変遷する。
【００４０】
この変遷に伴って、その他の靴下部分よりも延びが小さい緩衝領域３の存在によって靴下の延びの変化が滑らかに小さくなることによって、摩擦領域２で歩行接地面との摩擦が作用するにもかかわらず、足裏部分には違和感を与えることがない歩行感を形成することができる。
【００４１】
摩擦領域２と隣接する緩衝領域３が摩擦領域２よりも小さな延びを示し、全体として歩行接地面に摩擦性を作用させながら、歩行状態に引っ掛かりのない使用感を形成することができ、接地面と滑り止め編成部分との間で生じる摩擦によって、歩行時の滑りを抑制することができる。ここで、歩行接地面とは、床以外に、例えば、廊下、階段等や、靴の靴底、サンダル、スリッパ、下駄等の履物底等の内底面を指す。
【００４２】
また、歩行接地面が、履物底等の内底面の場合、靴を履いた状態の歩行時における靴内の靴下と靴内底との滑りを、滑り止め編成部分Ｂによって抑制することができるので、歩行しやすい靴の履き心地を形成することができる。
【００４３】
また、滑り止め編成部分Ｂを構成する編成糸うちの一本に摩擦糸を用いて外観上は一般の靴下とかわりがないものを形成することができるので、滑り止め機能を備えながらも外観体裁がよく幅広い靴下利用者層に好適に使用可能である。
【００４４】
尚、この実施形態においては、編成物である靴下の編地部分の一つが摩擦領域２で、これに隣接して緩衝領域３が設けられている例を説明したが、本発明はこれに限らず、図５に示すように、靴下のつま先の指先部分に摩擦領域を編成し、これに隣接するつま先の指元部分に緩衝領域を編成し、これに隣接するつま先と土踏まずとの間の部分に摩擦領域を編成し、これに隣接する土踏まず部分に緩衝領域を編成して、全体として、摩擦領域と緩衝領域とが隣り合う構成のものであっても同様の作用効果を生じることができる。
【００４５】
また、図６に示すように、靴下の土踏まずからつま先に亘る部分に摩擦領域を編成し、これに隣接する土踏まずのつま先側部分に緩衝領域を編成するとともに、靴下の踵部分に摩擦領域を編成し、これに隣接する土踏まずの踵側部分に緩衝領域を編成する構成のものであっても同様の作用効果を生じることができる。
〔第２実施形態〕
この第２実施形態は、編地の表地が裏地よりも摩擦係数が大きな摩擦領域に構成されている滑り止め機能付き編成物１００について説明する。
【００４６】
この滑り止め機能付き編成物１００は、図７図に示すように、平編みされた編地１０が２本の編成糸１０ａ，２ａを用いて編成され、この２本の編成糸１０ａ，２ａのうちの一本の編成糸２ａが、ゴム系又は発泡ウレタン系の素材を用いた編糸から構成されとともに、編地１０の表面側となる編成がなされて、平編みされた編地１０の表面側に摩擦糸２ａが露出する編地構成になっている。
【００４７】
このように構成される滑り止め機能付き編成物１００は、編地の表裏で摩擦係数が異なる編地１０を形成することができる。
【００４８】
このように形成された滑り止め機能付き編成物１００は、下着類、ズボン類、スカート類等の服飾品や、ランニングウエア等のスポーツウエアや、手袋やマフラー等の附帯服飾品、タオルやふきん等の生活縫製物等の縫製生地として好適に使用可能である。
また、使用においては、縫製される全部又は一部の生地部分に利用されていてもかまわない。
【００４９】
〔別実施形態〕
１）  上記第１実施形態における滑り止め編成部分Ｂは、筒状編地１に摩擦領域２と緩衝領域３とが隣り合う状態に編成されたものについて説明したが、本発明はこれに限らず、筒状編地１に摩擦領域２を間欠配置に設け、この間欠配置された摩擦領域２と摩擦領域２との間の編地部分に緩衝領域３を設けて構成されているものであっても、筒状編地１に緩衝領域３を間欠配置に設け、この間欠配置された緩衝領域３と緩衝領域３との間の編地部分に摩擦領域２を設けて構成されているものであってもよい。
【００５０】
２）  上記実施形態では、本発明の編成物を靴下に適用した例を説明したが、手袋といった編成物に本発明を適用するものであってもよい。
この場合、手袋全体を滑り止め編成部分に構成し、手袋全体に摩擦領域を表出する構成であっても、手袋の指部分や掌部分等のような決められた部分を滑り止め編成部分に構成するものであってもよい。
【００５１】
３）  また、メリヤス編みされた編成物である綿地のシャツやパンツ等の下着において、例えば、衣服と接する側である表地に、滑り止め編成部分を設けるものであってもよい。
この場合、滑り止め編成部分が対応して摩擦接触して、衣服のずれ動きなどを抑制するものに好適に適用することができる。
【００５２】
４）  上記第１実施形態において滑り止め編成部分をつま先と土踏まずの間の足部分に対応する靴下部分に編成した例を説明したが、本発明はこれに限らず、踵に対応する靴下部分に滑り止め編成部分を編成するものであっても、それ以外の靴下部分に滑り止め編成部分を設けるものであってもよい。
【００５３】
５）  さらに、上記実施形態では、本発明の編成物を靴下や手袋に適用した例を説明したが、テーブルに対する滑り止め機能を備えたテーブルクロス等に本発明を適用するものであってもよい。
【００５４】
６)  上記第１実施形態では、摩擦領域２が、平編みの編地１０の編成糸に２本の編糸を用いて編成し、これら編成糸の表面側がゴム系又は発泡ウレタン系の編糸から構成されている靴下について説明したが、本発明はこれに限らず、摩擦領域が、編地の表面部分にゴム系又は発泡ウレタン系の溶剤を塗設して構成されている靴下であっても、摩擦領域が、ゴム系又は発泡ウレタン系でゴム質な粒状体の多数を編地に接着して構成されている靴下であってもよい。
【００５５】
７）上記実施形態において、摩擦領域２が、平編みの編地１０の編成糸に２本の編糸を用いて編成し、これら編成糸の表面側がゴム系又は発泡ウレタン系の編糸から構成されている編成物について説明したが、本発明はこれに限らず、平編みの編地１０の編成糸に３本の編糸を用いて編成し、これら編成糸の表面側の２本がゴム系又は発泡ウレタン系の編糸から構成されている編成物であっても、平編みの編地１０の編成糸に４本の編糸を用いて編成し、これら編成糸の表面側の３本がゴム系又は発泡ウレタン系の編糸から構成されている滑り止め機能付き編成物であってもよい。
また、平編みの編地１０の表面側の編成糸がパイル起毛される構成であっても同様の作用効果を生じる。
【図面の簡単な説明】
【００５６】
【図１】本発明を適用した実施形態の滑り止め機能付き靴下を示す正面図
【図２】靴下を履いた状態の一歩行状態を示す参考図
【図３】靴下を履いた状態の一歩行状態を示す参考図
【図４】靴下を履いた状態の一歩行状態を示す参考図
【図５】本発明を適用した滑り止め機能付き靴下の変形例を示す簡略斜視図
【図６】本発明を適用した滑り止め機能付き靴下のさらの別の変形例を示す簡略斜視図
【図７】（イ）平編み編地における摩擦領域の編成構成を示す説明図  （ロ）平編み編地における摩擦領域の編成構成を示す説明図
【図８】平編み編地における緩衝領域の編成構成を示す説明図
【符号の説明】
【００５７】
Ａ            滑り止め機能付きの靴下
Ｂ            滑り止め補償部
２            摩擦領域
３            緩衝領域
１０          編地
１００        滑り止め機能付き編成物
【図１】
2006249596.tif 000003
【図２】
2006249596.tif 000004
【図３】
2006249596.tif 000005
【図４】
2006249596.tif 000006
【図５】
2006249596.tif 000007
【図６】
2006249596.tif 000008
【図７】
2006249596.tif 000009
【図８】
2006249596.tif 000010